(57)【要約】【課題】風路抵抗の増加を抑えつつ、雨滴などの衝突音による騒音の室内への侵入を低減させることのできる換気フードを得ること。【解決手段】換気フード２は、建物の壁面１７に形成された換気口１８に接続されるパイプガイド１と、パイプガイド１の一端側を覆うとともに、一部に開口が形成されたフード部２ａと、壁面１７から延びるように形成されて、フード部２ａの上面との間に隙間を設けてフード部２ａの上面を覆う制振カバー７を備えることを特徴とする。【選択図】図５
2011190971.tif 000002
【特許請求の範囲】
【請求項１】
建物の壁面に形成された換気口に接続されるパイプガイドと、
前記パイプガイドの一端側を覆うとともに、一部に開口が形成されたフード部と、
前記壁面から延びるように形成されて、前記フード部の上面との間に隙間を設けて前記フード部の上面を覆う制振カバーを備えることを特徴とする換気フード。
【請求項２】
前記制振カバーは、前記壁面に固定されることを特徴とする請求項１に記載の換気フード。
【請求項３】
前記制振カバーは、前記壁面側の一端部よりも他端部のほうが低くなるように設けられることを特徴とする請求項１または２に記載の換気フード。
【発明の詳細な説明】
【技術分野】
【０００１】
本発明は、換気フードに関し、特に、建物の壁面などに形成された換気口に装着して室内外の換気に用いられる換気フードに関する。
【背景技術】
【０００２】
従来から、建物の壁面などに形成された換気口から風雨や野鳥などが室内に侵入するのを防止するために、換気フードで換気口を覆うことが行われている。このような換気フードは、アルミ合金や鋼板などの金属材料で作製され、外壁面から突出する状態で設置されている。そのため、雨滴などが降雨時に換気フードに滴下すると、大きな衝突音が発生する。
【０００３】
雨滴などの滴下による衝突音は、換気ダクトなどの換気経路を伝達経路として室内に侵入し、室内に騒音をもたらす場合があった。また、隣の家が接近している場合、隣の家にも騒音として衝突音が響いてしまう場合があった。
【０００４】
このため、換気フードの内側天面部にゴムなどの弾性部材を貼り付け、換気フード天面部（雨滴の落下面）の剛性を上げることで、衝突音を低減させる対策を施したものがある。また、雨滴などの衝突音を低減させるために、換気フードの内部や換気経路中に消音機構や制振機構を設ける技術が、例えば特許文献１や特許文献２に開示されている。
【先行技術文献】
【特許文献】
【０００５】
【特許文献１】特開平９−１４７１１号公報
【特許文献２】特開２００６−５７４９１号公報
【発明の概要】
【発明が解決しようとする課題】
【０００６】
しかしながら、換気フードの内側天面部に弾性部材を貼り付ける方法では、雨滴などが換気フードに衝突した際の衝撃振動を完全に抑えることはできない。また、雨滴などが衝突する部分は、換気経路と接しているので、雨滴などの衝突による衝撃振動が換気経路を伝わり、室内に騒音が侵入してしまうという問題があった。
【０００７】
また、換気経路中に消音機構を設ける方法では、風路抵抗が増大し、換気風量が少なくなるという問題があった。また、換気フードの内部に制振機構を設ける方法では、換気風量の減少は抑えられるものの、弾性部材を貼り付けた場合と同様に、雨滴などが換気フードに衝突した際の衝撃振動を完全に抑えることはできず、換気フードと接した換気経路を伝わり、室内に騒音が進入してしまうという問題があった。
【０００８】
本発明は、上記に鑑みてなされたものであって、風路抵抗の増加を抑えつつ、雨滴などの衝突音による騒音の室内への侵入を低減させることのできる換気フードを得ることを目的とする。
【課題を解決するための手段】
【０００９】
上述した課題を解決し、目的を達成するために、本発明は、建物の壁面に形成された換気口に接続されるパイプガイドと、パイプガイドの一端側を覆うとともに、一部に開口が形成されたフード部と、壁面から延びるように形成されて、フード部の上面との間に隙間を設けてフード部の上面を覆う制振カバーを備えることを特徴とする。
【発明の効果】
【００１０】
本発明によれば、風路抵抗の増加を抑えつつ、雨滴などの衝突音による騒音の室内への侵入を低減させることができるという効果を奏する。
【図面の簡単な説明】
【００１１】
【図１】図１は、本発明の実施の形態１に係る換気フードの概略構成を示す外観斜視図である。
【図２−１】図２−１は、図１に示す換気フードの概略構成を示す正面図である。
【図２−２】図２−２は、図１に示す換気フードの概略構成を示す側面図である。
【図３】図３は、図１に示す換気フードを分解して示す分解斜視図である。
【図４】図４は、図１に示す換気フードを建物の壁面に装着した状態を示す斜視図である。
【図５】図５は、図１に示す換気フードを建物の壁面に装着した状態を示す断面図である。
【図６−１】図６−１は、比較例としての従来の換気フードの側面図であって、従来の換気フードの衝撃振動を説明するための図である。
【図６−２】図６−２は、図１に示す換気フードの衝撃振動を説明するための側面図である。
【図７−１】図７−１は、本実施の形態１の変形例に係る換気フードの概略構成を示す正面図である。
【図７−２】図７−２は、図７−１に示す換気フードの外観を示す側面図である。
【発明を実施するための形態】
【００１２】
以下に、本発明にかかる換気フードの実施の形態を図面に基づいて詳細に説明する。なお、この実施の形態によりこの発明が限定されるものではない。
【００１３】
実施の形態１．
図１は、本発明の実施の形態１に係る換気フード２の概略構成を示す外観斜視図である。図２−１は、図１に示す換気フード２の概略構成を示す正面図である。図２−２は、図１に示す換気フード２の概略構成を示す側面図である。図３は、図１に示す換気フード２を分解して示す分解斜視図である。図４は、図１に示す換気フード２を建物の壁面１７に装着した状態を示す斜視図である。図５は、図１に示す換気フード２を建物の壁面１７に装着した状態を示す断面図である。
【００１４】
換気フード２は、建物の壁面１７などに形成された換気口１８に装着されて室内外の換気に用いられる。ここで、換気フード２には、建物の室内に連通する開口部２１を有する円筒状のパイプガイド１、パイプガイド１の開口部２１の室外側を覆うとともに、下方に向かって開口したフード部２ａ、パイプガイド１とフード部２ａとを接続させ、それらを壁面１７に固定させるベースプレート３、および衝撃振動がフード部２ａに伝播されるのを抑制する制振カバー７が設けられている。なお、フード部２ａに形成される開口は、下方に向かうものに限られず、例えば、前面に向けて開口していてもよい。
【００１５】
パイプガイド１は、室内と連通する換気口１８に接続され、室内への外気の給気または室外への室内空気の排気を行えるようにする。フード部２ａは、風雨や野鳥などが、換気口１８から室内に侵入するのを防止する。フード部２ａの開口部１９には、壁面１７から離れていくように排気気流を風向変更するギャラリ５が設けられている。ギャラリ５を設けることで、排気気流による壁面１７への汚れの発生を抑えるとともに、開口部１９から風雨や鳥などが侵入するのを防止することができる。なお、風雨や虫がフード部２ａに侵入するのをより効果的に防止するために、パイプガイド１の開口部２１に網６を設けるようにしてもよい。
【００１６】
ベースプレート３には、壁面１７とネジ固定するために正面部に配置された穴４が設けられている。また、ベースプレート３には、降雨時に雨水が壁面１７を伝って壁面１７を汚さないように、換気フード２から垂れる水滴を壁面１７から離して滴下させるワイド水切り１６が設けられている。
【００１７】
制振カバー７は、建物の壁面１７から延びるように形成されて、フード部２ａの上面を覆う。制振カバー７は、上方から滴下した雨滴などを受けて、フード部２ａの上面に雨滴が衝突するのを防ぐ。また、制振カバー７とフード部２ａとの間には隙間が設けられており、制振カバー７とフード部２ａとが直接接触しないようになっている。制振カバー７は、ベースプレート３の壁面１７側に位置し、換気フード２を壁面１７に固定する固定ネジ８によって、ベースプレート３とともに壁面１７に固定される。
【００１８】
建物の壁面１７に形成された換気口１８は、室内と連通して換気経路の一部を構成する。換気口１８は、室内と連通しており、換気口１８を介して室内への外気の給気または室外への室内空気の排気が行われる。図５に示すように、換気フード２は換気口１８の端末に接続される。
【００１９】
室内への外気の給気または室外への室内空気の排気が行われると、室内と室外との間で気流Ｚが発生する。ここで、換気フード２を換気口１８に接続することにより、風雨や虫や鳥などが換気口１８から室内に侵入するのを防止することができる。
【００２０】
換気フード２の材質としては、使用する屋外環境によるが、一般にステンレス鋼板を用いることが多い。制振カバー７の材質もステンレス鋼板とする場合には、雨滴などの滴下物Ｍの落下衝撃を考慮し、板厚０．５〜１ｍｍ程度とするのが好ましい。
【００２１】
制振カバー７とフード部２ａとの隙間は、滴下物Ｍによる制振カバー７の振動や、部品寸法精度や、外観上換気フード２が大きく見えることの回避を考慮して、６±３ｍｍ程度とするのが好ましい。
【００２２】
制振カバー７の意匠面側端部（他端部）７ａは、取扱時に作業者に怪我をさせないよう安全面を考慮して面取り形状とするとよい。また、制振カバー７を外観上目立ちにくくするために、上面視における制振カバー７の形状が、フード部２ａの上面視における形状と近い形状となるように、意匠面側端部７ａの面取り形状を定めるのが好ましい。より具体的には、制振カバー７の形状を、フード部２ａの上面の形状と略同じ形状とする。なお、制振カバー７は、ベースプレート３と一体に形成されていてもよい。
【００２３】
図６−１は、比較例としての従来の換気フード１０２の側面図であって、従来の換気フード１０２の衝撃振動を説明するための図である。図６−２は、図１に示す換気フード２の衝撃振動を説明するための側面図である。図６−１に示すように、従来の換気フード１０２では、雨滴などの滴下物Ｍがフード部２ａの天面に直接衝突する。そのため、フード部２ａの天面に衝突した滴下物Ｍによって発生する音が、換気フード２の箱型形状内で響き、フード部２ａと接する換気経路を伝わって、室内に騒音となって侵入してしまう。
【００２４】
一方、本実施の形態の換気フード２では、フード部２ａの上面が制振カバー７で覆われているので、制振カバー７に滴下物Ｍが衝突しやすく、フード部２ａには滴下物Ｍが衝突しにくくなっている。したがって、フード部２ａで衝突振動が発生しにくく、騒音が室内に侵入しにくくなる。また、制振カバー７は、フード部２ａ上に隙間を空けて設けられており、制振カバー７と換気経路は直接的に接していない。したがって、制振カバー７で発生した衝突振動が、換気経路を伝わって室内に伝わることがほとんどないため、室内への騒音の侵入を、効果的に抑制することができる。
【００２５】
また、制振カバー７で発生した衝撃振動は、制振カバー７からベースプレート３、ベースプレート３から壁面１７へ伝播する。ここで、壁面１７の材料としては、一般的にモルタルやコンクリートが用いられる。壁面１７を構成するこれらの材料は、換気フード２に用いられる材料に比べて振動を伝えにくいため、壁面１７で音の伝播が大きく低減される。そのため雨滴などの衝突音による騒音が室内に侵入するのを、より一層効果的に抑制することができる。
【００２６】
以上説明したように、本発明の実施の形態によれば、制振カバー７をフード部２ａ上に空間を空けて支持させることにより、フード部２ａの上面に落下してくる雨滴などの滴下物Ｍが換気フード２に直接衝突しにくくすることができる。このため、滴下物Ｍの衝突時に発生する衝突音の室内への侵入を低減させることができる。
【００２７】
図７−１は、本実施の形態１の変形例に係る換気フード２の概略構成を示す正面図である。図７−２は、図７−１に示す換気フード２の外観を示す側面図である。制振カバー７は、換気フード２が外観上大きく見えにくくなるように、壁面１７に対し略直角に設けられるのが好ましい（図５を参照）。すなわち、制振カバー７の壁面側部（一端部）７ｂと意匠面側端部７ａとが略水平になるように制振カバー７を設けるのが好ましい。一方、本変形例では、壁面側部７ｂよりも意匠面側端部７ａが低くなるような角度で制振カバー７を設けている。換気フード２が、外観上大きく見えることが許容される場合には、本変形例のように構成することができる。この構成により、水滴の落下衝撃を分散して、換気フード２に伝播する振動を軽減させることができる。
【産業上の利用可能性】
【００２８】
以上のように、本発明にかかる換気フードは、換気経路の末端に設けるのに有用であり、特に、雨滴が衝突しやすい外壁に設ける排気フードに適している。
【符号の説明】
【００２９】
１  パイプガイド
２  換気フード
２ａ  フード部
３  ベースプレート
４  穴
５  ギャラリ
６  網
７  制振カバー
７ａ  意匠面側端部（他端部）
７ｂ  壁面側部（一端部）
８  固定ネジ
１６  ワイド水切り
１７  壁面
１８  換気口
１９，２１  開口部
１０２  換気フード
Ｍ  落下物
Ｚ  気流
【図１】
2011190971.tif 000003
【図２−１】
2011190971.tif 000004
【図２−２】
2011190971.tif 000005
【図３】
2011190971.tif 000006
【図４】
2011190971.tif 000007
【図５】
2011190971.tif 000008
【図６−１】
2011190971.tif 000009
【図６−２】
2011190971.tif 000010
【図７−１】
2011190971.tif 000011
【図７−２】
2011190971.tif 000012